(57)【要約】【課題】前面の発光領域と上面の発光領域の輝度を確保できる操作デバイスを提供する。【解決手段】操作デバイスは、前面に設けられている第１発光領域Ｅ１と、第１発光領域Ｅ１を構成する第１光透過パネル１１と、上面に設けられている第２発光領域Ｅ２と、第２発光領域Ｅ２を構成する第２光透過パネル２１とを有している。導光部材１２は、第１光透過パネル１１の後側に配置される第１案内部１２ａと、第１光透過パネル１１の位置を超えて第２光透過パネル２１に向かって上方に伸びている第２案内部１２ｃとを含んでいる。【選択図】  図３
2018010375.tif 000002
【特許請求の範囲】
【請求項１】
前面に設けられている第１発光領域と、
光を透過する材料で形成され、前記第１発光領域を構成する第１光透過部材と、
上面に設けられている第２発光領域と、
光を透過する材料で形成され、前記第２発光領域を構成する第２光透過部材と、
光源と、
前記光源の光を前記第１光透過部材と前記第２光透過部材とに案内する導光部材と、を有し、
前記導光部材は、前記第１光透過部材の後側に配置され前記第１光透過部材に光を案内する第１案内部と、前記第１光透過部材の位置を超えて第２光透過部材に向かって上方に伸びている第２案内部とを含んでいる
ことを特徴とする操作デバイス。
【請求項２】
前記第２案内部は光を出す光射出面を有し、
前記光射出面の少なくとも一部は、前記操作デバイスの平面視において、前記第２発光領域と重なる
ことを特徴とする請求項１に記載の操作デバイス。
【請求項３】
前記第２案内部は光を出す光射出面を有し、
前記第２光透過部材と前記光射出面との間に他の部材が存在しない
ことを特徴とする請求項１に記載の操作デバイス。
【請求項４】
前記第２発光領域から上方且つ後方に斜めに出る光の輝度は、前記第２発光領域から上方且つ前方に斜めに出る光の輝度よりも大きい
ことを特徴とする請求項１に記載の操作デバイス。
【請求項５】
前記第１の光透過部材は回路基板よりも下方に位置し、
前記導光部材の前記第２案内部は前記回路基板よりも上方に位置している
ことを特徴とする請求項１に記載の操作デバイス。
【請求項６】
ハウジングと、
前記ハウジングの内側に配置され、前記第２光透過部材の前記第２案内部に対して前方に位置している遮光部と、をさらに有している
ことを特徴とする請求項１に記載の操作デバイス。
【請求項７】
前記第２の光透過部材は前記操作デバイスの前記上面を構成している上面部と、前記操作デバイスの前記前面を構成している前面部とを有し、
前記遮光部は前記第２の光透過部材の前記前面部と前記導光部材の前記第２案内部との間に位置している
ことを特徴とする請求項６に記載の操作デバイス。
【請求項８】
前記遮光部は、前記第２の光透過部材の下側に配置され且つ前記第２発光領域を規定する開口が形成されている部材と、一体的に形成されている
ことを特徴とする請求項６に記載の操作デバイス。
【請求項９】
回路基板と、前記回路基板が取り付けられているフレームとをさらに有し、
前記遮光部は前記フレームと一体的に形成されている
ことを特徴とする請求項６に記載の操作デバイス。
【請求項１０】
左右方向における前記遮光部の幅は、左右方向における前記第２案内部の幅よりも大きい
ことを特徴とする請求項６に記載の操作デバイス。
【請求項１１】
ボタンとして機能する板状の操作部材をさらに有し、
前記第２の光透過部材は操作部材を構成している
ことを特徴とする請求項１に記載の操作デバイス。
【請求項１２】
前記操作部材は前記第２の光透過部材と、前記第２の光透過部材の裏面に取り付けられている部材とを有し、
前記第２の光透過部材に取り付けられている前記部材に、前記第２発光領域を規定する開口が形成されている
ことを特徴とする請求項１１に記載の操作デバイス。
【請求項１３】
ハウジングをさらに有し、
前記ハウジングは、前記第２の光透過部材が内側に嵌められている開口を有し、
前記ハウジングの前記開口の縁と前記第２の光透過部材の縁との間には、前記第２の光透過部材の動きを許容するクリアランスが設けられており、
前記遮光部は、前記操作デバイスの正面視において、前記ハウジングの前記開口の前記縁と前記第２の光透過部材の前記縁とに重なっている
ことを特徴とする請求項１１に記載の操作デバイス。
【発明の詳細な説明】
【技術分野】
【０００１】
本発明はゲーム装置などの情報処理装置のための入力装置として利用される操作デバイスに関する。
【背景技術】
【０００２】
下記特許文献１には情報処理装置（例えば、ゲーム機）のための入力装置として利用される操作デバイスが開示されている。この文献の操作デバイスは前面に発光領域を有している。情報処理装置はカメラを通して発光領域の光を取得し、操作デバイスの位置を検知する。また、特許文献１が開示している操作デバイスの一つは、その上面に板状の操作部材を有し、この板状の操作部材にも発光領域を有している。上面の発光領域は、その光源として、前面の発光領域の光源を利用している。このため、ユーザは上面の発光領域の光を見ることで、例えば、前面の発光領域が発光しているか否かや、前面の発光領域の発光色を把握できる。
【先行技術文献】
【特許文献】
【０００３】
【特許文献１】米国特許出願公開２０１５／０２９０５３４号明細書
【発明の概要】
【発明が解決しようとする課題】
【０００４】
特許文献１の操作デバイスは、光源から前面の発光領域まで光を案内する導光部材を有している。しかしながら、導光部材から上面の発光領域までの距離が大きいと、上面の発光領域の輝度を確保するのは難しい。
【０００５】
本明細書の目的の一つは、２つの発光領域の輝度を確保できる操作デバイスを提供することにある。
【課題を解決するための手段】
【０００６】
上記課題を解決するための操作デバイスは、外部の情報処理装置がカメラを通して取得するための光を発する、前面に設けられている第１発光領域と、光を透過する材料で形成され、前記第１発光領域を構成する第１光透過部材と、上面に設けられている第２発光領域と、光を透過する材料で形成され、前記第２発光領域を構成する第２光透過部材と、光源と、前記光源の光を前記第１光透過部材と前記第２光透過部材とに案内する導光部材とを有する。前記導光部材は、前記第１光透過部材の後側に配置され前記第１光透過部材に光を案内する第１案内部と、前記第１光透過部材の位置を超えて第２光透過部材に向かって上方に伸びている第２案内部とを含んでいるこの操作デバイスによると、第１発光領域の輝度と第２発光領域の輝度の双方を確保できる。
【図面の簡単な説明】
【０００７】
【図１】本発明の一実施形態に係る操作デバイスの平面図である。
【図２】図１に示す操作デバイスの正面図である。
【図３】図１のＩＩＩ−ＩＩＩ線で示す切断面で得られる断面図である。
【図４】図３に示す光透過パネル及びボタンフレームの分解斜視図である。
【図５】図３に示す導光部材の斜視図である。
【図６】導光部材の基部及びＬＥＤを示す図３の拡大図である。
【図７】導光部材の第１案内部を示す図３の拡大図である。
【発明を実施するための形態】
【０００８】
以下、本発明の一実施形態について説明する。図１は本発明の実施形態の一例である操作デバイス１の平面図である。図２は操作デバイス１の正面図である。図３は図１のＩＩＩ−ＩＩＩ線で示す切断面で得られる断面図である。図４は図３に示す光透過パネル２１、及びボタンフレーム２２の分解斜視図である。図５は導光部材１２の斜視図である。
【０００９】
以下の説明においては、図１に示すＸ１、Ｘ２、Ｙ１、Ｙ２をそれぞれ右方向、左方向、前方、後方と称する。また、図２に示すＺ１、Ｚ２をそれぞれ上方、下方と称する。
【００１０】
操作デバイス１は、ゲームプログラムの実行機能や動画像再生機能、インターネットを通した通信機能などを有する情報処理装置に対する入力装置として利用される。操作デバイス１は、情報処理装置との間で有線又は無線での通信が可能となっており、ユーザが操作デバイス１に対して行った操作に応じた信号を情報処理装置に送信する。操作デバイス１は、操作デバイス１の姿勢や動きの検出に利用される種々のセンサ（加速度センサ、ジャイロセンサなど）や、バッテリなどを内蔵している。
【００１１】
図１に示すように、操作デバイス１は、その右部の上面と左部の上面とに、複数の操作部材を有している。操作デバイス１は、操作部材として、ボタン４１や方向キー４２などを有している。これら操作部材については、後において詳説する。操作デバイス１は、その右部と左部に、後方に伸びている右グリップＧＲと左グリップＧＬとをそれぞれ有している。操作デバイス１の使用時に、グリップＧＲ、ＧＬはユーザによって保持される。
【００１２】
図１に示すように、操作デバイス１は、上述した右部の操作部材（操作デバイス１では、ボタン４１）と、左部の操作部材（操作デバイス１の例では、方向キー４２）との間に、中央部Ｍを有している。中央部Ｍの上面に、ユーザによって操作される板状の操作部材２０が設けられている。操作デバイス１の例では、操作部材２０は押しボタンとして機能する。また、操作部材２０にはタッチセンサ２３（図３参照）が設けられている。操作部材２０についても後において詳説する。
【００１３】
図２に示すように、操作デバイス１は中央部Ｍの前面に、第１発光領域Ｅ１を有している（図２では第１発光領域Ｅ１に網掛けが施されている）。操作デバイス１は、その使用時に、第１発光領域Ｅ１を発光させる。外部の情報処理装置（例えばゲーム機）はカメラを通して第１発光領域Ｅ１の光を取得し、その光に基づいて操作デバイス１をトラッキングする。例えば、情報処理装置は第１発光領域Ｅ１の光に基づいて、操作デバイス１の位置を連続的に検知する。
【００１４】
図２に示すように、操作デバイス１の例では、第１発光領域Ｅ１は左右方向に細長い領域である。すなわち、第１発光領域Ｅ１の横幅は縦幅よりも大きい。また、操作デバイス１の例では、第１発光領域Ｅ１は略三角形である。第１発光領域Ｅ１のこのような形状によれば、情報処理装置による第１発光領域Ｅ１の認識精度を向上できる。第１発光領域Ｅ１の形状は、操作デバイス１の例に限られない。例えば、第１発光領域Ｅ１は楕円や、四角形などでもよい。
【００１５】
図３に示すように、中央部Ｍの前面は斜め下方に向いており、第１発光領域Ｅ１は斜め下方に発光する。中央部Ｍの形状は、操作デバイス１の例に限られない。例えば、中央部Ｍの前面に設けられている第１発光領域Ｅ１は鉛直に形成されてもよい。これに替えて、第１発光領域Ｅ１は前方に膨らむように湾曲してもよい。
【００１６】
図３に示すように、操作デバイス１は第１発光領域Ｅ１を構成する第１光透過パネル１１を有している。第１光透過パネル１１は光を透過する材料（例えば、アクリル樹脂）で形成されている。光透過パネル１１は透明な材料でもよいし、半透明の材料でもよい。例えば、透明な材料に光拡散剤が混ぜられた材料が光透過パネル１１の材料として利用される。操作デバイス１は、その外装を構成するハウジング１３を有している。ハウジング１３の前面には開口が形成されている。この開口の内側に第１光透過パネル１１が嵌められている。第１光透過パネル１１の前面はハウジング１３の開口を通して前方に露出している。この露出している部分が第１発光領域Ｅ１である。
【００１７】
図３に示すように、操作デバイス１は、第１発光領域Ｅ１の光源であるＬＥＤ１４を有している。後述するように、ＬＥＤ１４は、操作デバイス１の上面に設けられている第２発光領域Ｅ２（図１参照）の光源としても機能する。操作デバイス１の例では、ＬＥＤ１４は光透過パネル１１から後方に離れて配置されている。より具体的には、ＬＥＤ１４はハウジング１３の下部に位置し、第１光透過パネル１１の下部から後方に離れている。また、ＬＥＤ１４は第１光透過パネル１１の左右方向の中心から後方に離れている。操作デバイス１は、種々の集積回路等が実装された回路基板１５と、回路基板１５から下方に離れて配置されている回路基板１６とを有している。ＬＥＤ１４は回路基板１６に実装されている。操作デバイス１の例では、回路基板１５と回路基板１６との間にバッテリ１７が配置されている。
【００１８】
ＬＥＤ１４の位置は、操作デバイス１の例に限られない。例えば、ＬＥＤ１４は回路基板１５に実装されてもよい。さらに他の例では、ＬＥＤ１４は光透過パネル１１の上部に後方に配置されてもよい。また、ＬＥＤ１４は光透過パネル１１の左右方向の中心に対して右方向又は左方向にずれて配置されてもよい。
【００１９】
図３に示すように、操作デバイス１は、ＬＥＤ１４の光を第１光透過パネル１１に案内する導光部材１２を有している。操作デバイス１の例においては、導光部材１２はＬＥＤ１４から前方に伸びている板状の基部１２ｂ（図５参照）を有している。操作デバイス１の例において、基部１２ｂは略三角形であり、基部１２ｂの左右方向の幅はＬＥＤ１４の位置（入射面）から前方に向かって徐々に大きくなっている。
【００２０】
図３に示すように、導光部材１２は第１光透過パネル１１の後側に配置される第１案内部１２ａを有している。操作デバイス１の例において、第１案内部１２ａは板状であり（図５参照）、第１光透過パネル１１に後面に沿って配置されている。導光部材１２は基部１２ｂと第１案内部１２ａとの間で湾曲しており、第１案内部１２ａは基部１２ｂから斜め上方に伸びている。
【００２１】
ＬＥＤ１４の光は導光部材１２の外面で反射しながら、導光部材１２の内部で第１案内部１２ａに向かって進む。第１案内部１２ａの後面には、光を前方に向ける構造が設けられている。例えば、第１案内部１２ａには粗面化された後面や、凹凸を有する後面が設けられる。第１案内部１２ａで前方に向けられた光は、第１光透過パネル１１を通って第１発光領域Ｅ１から出る。
【００２２】
操作デバイス１の例では、ＬＥＤ１４が第１光透過パネル１１から後方に離れているので、ＬＥＤ１４から第１光透過パネル１１に達するまでの光路が長くなる。その結果、ＬＥＤ１４の光を左右方向に十分に広げることができ、第１発光領域Ｅ１の全域を均等に発光させることができる。また、操作デバイス１の例では、導光部材１２は基部１２ｂと第１案内部１２ａとの間で湾曲しているので、導光部材１２の内部で光が反射する回数を増すことができる。その結果、ＬＥＤ１４の光をさらに効果的に左右方向に広げることができる。図３に示すように、操作デバイス１の例では、第１案内部１２ａの後側に、光を反射させる反射部材１９が設けられている。これによって、第１案内部１２ａに達した光を、さらに効率的に第１光透過パネル１１に向けることができる。
【００２３】
図１に示すように、操作デバイス１は、その上面に、板状の操作部材２０を有している。操作部材２０は中央部Ｍに設けられている。操作デバイス１の例において、操作部材２０は上下動可能に支持され、押しボタンとして機能する。操作部材２０は矩形の板状である。後述するように、操作部材２０は、操作部材２０上でのユーザの指の位置を検知するためのタッチセンサ２３（図３参照）も有している。
【００２４】
図３に示すように、操作部材２０は、その表面（上面）に第２光透過パネル２１を有している。第２光透過パネル２１は光を透過する材料（例えば、アクリル樹脂）で形成されている。光透過パネル２１はＬＥＤ１４を光源として発光する第２発光領域Ｅ２（図１参照）を有している。この構造によると、ユーザは操作デバイス１の使用時に、第２発光領域Ｅ２を見ることによって、第１発光領域Ｅ１が発光しているか否か把握できる。また、ＬＥＤ１４の色が変化する場合には、ユーザは第２発光領域Ｅ２を見ることによって、第１発光領域Ｅ１の色を把握できる。
【００２５】
操作デバイス１の例では、第２発光領域Ｅ２は光透過パネル２１の一部に規定されている。より具体的には、図１に示すように、第２発光領域Ｅ２は光透過パネル２１の前部に規定されている。そして、第２発光領域Ｅ２は、上述した光透過パネル１１の上方に位置している。操作デバイス１の例では、第２発光領域Ｅ２は左右方向に伸びている線状である。第２発光領域Ｅ２の形状やサイズは、操作デバイス１の例に限られない。導光部材１２の幅に対応した寸法であれば、例えば、第２発光領域Ｅ２は、左右方向に細長い楕円や、矩形、曲線などでもよい。
【００２６】
導光部材１２は第２光透過パネル２１にＬＥＤ１４の光を案内するように構成されている。具体的には図３に示すように、導光部材１２は、第１光透過パネル１１の位置を超えて第２光透過パネル２１に向かって上方に伸びている第２案内部１２ｃ（図５参照）を有している。より詳細には、第２案内部１２ｃは第１光透過パネル１１の上縁１１ａより上方に位置している。また、第２案内部１２ｃは第１発光領域Ｅ１よりも上方に位置している。第２案内部１２ｃは第２発光領域Ｅ２の下方に位置している。第２案内部１２ｃによって、第２発光領域Ｅ２（言い換えれば、第２光透過パネル２１）と導光部材１２との距離を小さくできるので、第２発光領域Ｅ２の輝度を確保できる。第２案内部１２ｃは、第１光透過パネル１１に光を向ける第１案内部１２ａから、さらに上方に伸びている。
【００２７】
第１案内部１２ａに達した光の一部は第１光透過パネル１１に向けられる。第１案内部１２ａに達した光の残りは第２案内部１２ｃの内部を進み、第２案内部１２ｃの先端面１２ｄから第２光透過パネル２１に向けて出る（以下において、先端面１２ｄを光射出面と称する）。
【００２８】
図３に示すように、操作デバイス１の例では、光射出面１２ｄは第２発光領域Ｅ２の直下に位置している。したがって、操作デバイス１の平面視において、光射出面１２ｄは第２発光領域Ｅ２と重なる。なお、第２発光領域Ｅ２は、後述するボタンフレーム２２に形成されている開口（スリット）２２ａによって規定されている。したがって、光射出面１２ｄは開口２２ａの直下に位置している。
【００２９】
図３に示すように、第２案内部１２ｃは第２光透過パネル２１の下面の近くまで伸びている。したがって、光射出面１２ｄと第２光透過パネル２１の下面との間に他の部材は存在していない。言い換えると、第２発光領域Ｅ２と光射出面１２ｄとを通る直線Ｌ３は、第２光透過パネル２１と光射出面１２ｄとの間で、他の部材と交差しない。この構造によると、第２発光領域Ｅ２の輝度をさらに確保できる。上述したように、操作部材２０は上下動可能な押しボタンである。したがって、光射出面１２ｄと第２光透過パネル２１の下面との間には、操作部材２０の下方への動きを許容するクリアランスが規定されている。
【００３０】
図３に示すように、操作部材２０は光透過パネル２１の下側に取り付けられているボタンフレーム２２を有している。左右方向でのボタンフレーム２２の幅は、光透過パネル２１の左右方向での幅に対応している（図４参照）。操作部材２０の下方には、上述した回路基板１５が配置されている。回路基板１５にはスイッチ１５ａが実装されている。ボタンフレーム２２にはスイッチ１５ａを押すための押圧部２２ｃが形成されている。操作デバイス１の例では、押圧部２２ｃはボタンフレーム２２からスイッチ１５ａに向かって下方に突出している。
【００３１】
ＬＥＤ１４は回路基板１５より下方に位置している。操作デバイス１の例では、ＬＥＤ１４は回路基板１５から下方に離れて配置されている回路基板１６に実装されている。第１光透過パネル１１及び第１案内部１２ａは回路基板１５よりも下方に位置している。第２案内部１２ｃは回路基板１５の高さを超えて上方に伸びている。
【００３２】
図３に示すように、操作部材２０はタッチセンサ２３を有している。タッチセンサ２３は、操作部材２０の表面（上面）に触れたユーザの指の位置（座標）に応じた信号を出力するセンサである。タッチセンサ２３は光透過パネル２１の下面に取り付けられ、第２光透過パネル２１とボタンフレーム２２との間に位置している。第２光透過パネル２１はタッチセンサ２３よりも大きなサイズを有している。操作デバイス１の例において、上述した第２発光領域Ｅ２はタッチセンサ２３の縁に沿って規定されている。より具体的には、第２発光領域Ｅ２はタッチセンサ２３の前縁に沿って規定されている。この構造によると、第２発光領域Ｅ２の光でタッチセンサ２３の前縁の位置をユーザに案内できる。
【００３３】
図３に示すように、光透過パネル２１は操作デバイス１の上面を構成している上面部２１ａを有している。また、光透過パネル２１は操作デバイス１の前面を構成している前面部２１ｂを有している。光透過パネル２１は上面部２１ａと前面部２１ｂとの間で湾曲している。ボタンフレーム２２は光透過パネル２１の上面部２１ａに取り付けられている。ボタンフレーム２２には開口２２ａが形成されている。開口２２ａによって第２発光領域Ｅ２が規定されている。すなわち、導光部材１２の光射出面１２ｄから出た光は開口２２ａを通って上側に出る。操作デバイス１の例では、開口２２ａはタッチセンサ２３の前縁に沿って形成されている。なお、ボタンフレーム２２は不透明な材料で形成されている。
【００３４】
図３に示すように、操作デバイス１は、その外装を構成する部材の内部、具体的にはハウジング１３及び光透過パネル２１の内部に、遮光部２２ｂ、３１ａを有している。遮光部２２ｂ、３１ａは導光部材１２の第２案内部１２ｃの前方に位置している。この構造によると、第２案内部１２ｃの光が外部に漏れるのを抑えることができる。その結果、第２案内部１２ｃの光が第１発光領域Ｅ１の光に混じることに起因する、情報処理装置（例えば、ゲーム機）のカメラによる操作デバイス１の撮像の認識精度の低下を抑えることができる。
【００３５】
遮光部２２ｂ、３１ａは左右方向に伸びている壁状である。左右方向での遮光部２２ｂ、３１ａの幅は第２案内部１２ｃの左右方向での幅よりも大きい。これによって、第２案内部１２ｃの光が外部に漏れることを効果的に抑えることができる。図３に示すように、操作デバイス１の例では、第２案内部１２ｃの前方に２つの遮光部２２ｂ、３１ａが位置している。２つの遮光部２２ｂ、３１ａの全体の上下方向での幅は、第２案内部１２ｃの上下方向での幅よりも大きい。つまり、操作デバイス１の正面視においては、第２案内部１２ｃの全体が遮光部２２ｂ、３１ａで覆われる。後述するように、遮光部２２ｂはボタンフレーム２２と一体的に形成されている。遮光部３１ａは本体フレーム３１と一体的に形成されている。遮光部２２ｂの下部と遮光部３１ｂの上部は、操作デバイス１の正面視において、重なっている。
【００３６】
上述したように、第２光透過パネル２１は前面部２１ｂを有している。図３に示すように、導光部材１２の第２案内部１２ｃは前面部２１ｂの後方に位置している。遮光部２２ｂは第２案内部１２ｃと前面部２１ｂとの間に位置している。これによって第２案内部１２ｃの光が前面部２１ｂを通って前方に漏れることを遮光部２２ｂによって抑えることができる。
【００３７】
図４に示すように、遮光部２２ｂはボタンフレーム２２と一体的に形成されている。これによって、部品数の増加を抑えることができる。上述したようにボタンフレーム２２は光透過パネル２１の下側に取り付けられている。図３に示すように、遮光部２２ｂは光透過パネル２１の前面部２１ｂの内面（後面）に沿って配置されている。遮光部２２ｂは光透過パネル２１の内面に沿って上方に伸び、第２発光領域Ｅ２を規定する開口２２ａに達している。この構造によると、導光部材１２の光射出面１２ｄから前面部２１ｂを透過して上方且つ前方に斜めに出る光を、ボタンフレーム２２（具体的には、遮光部２２ｂ）によって遮ることができる。
【００３８】
ハウジング１３は、光透過パネル２１に対応する位置に開口を有している。ハウジング１３の開口の内側に光透過パネル２１が嵌められている。操作部材２０は上下動可能な押しボタンである。したがって、光透過パネル２１の縁とハウジング１３の開口の縁との間には、操作部材２０の上下動を許容するためのクリアランスが設けられている。より具体的には、図３に示すように、光透過パネル２１の前面部２１ｂの下縁２１ｃと、ハウジング１３の開口の前縁１３ａとの間にクリアランスが設けられている。遮光部３１ａは操作デバイス１の正面視において、ハウジング１３の開口の前縁１３ａと光透過パネル２１の前面部２１ｂの下縁２１ｃとに前後方向において重なっている。この構造によって、第２案内部１２ｃの光が光透過パネル２１とハウジング１３との間のクリアランスを通って前方に漏れることを抑えることができる。
【００３９】
図３に示すように、回路基板１５は本体フレーム３１に取り付けられている。操作デバイス１の例では、回路基板１５は本体フレーム３１の下側に取り付けられている。本体フレーム３１も不透明な材料で形成されている。操作デバイス１の例では、遮光部３１ａは本体フレーム３１と一体的に形成されている。これによって、部品数の増加を抑えることができる。操作デバイス１の例に替えて、遮光部３１ａはボタンフレーム２２と一体的に形成されてもよい。すなわち、遮光部２２ｂは、ハウジング１３の開口の前縁１３ａと光透過パネル２１の前面部２１ｂの下縁２１ｃとに重なるように、下方に伸びてもよい。反対に、遮光部３１ａは、正面視において第２光透過パネル２１の前面部２１ｂと重なるように、上方に伸びてもよい。
【００４０】
操作デバイス１の例では、本体フレーム３１は、第２案内部１２ｃの後側に位置し且つ第２案内部１２ｃに沿って配置される遮光部３１ｂを、さらに有している。この構造によると、第２発光領域Ｅ２とは異なる位置から第２案内部１２ｃの光が漏れることを抑えることができる。例えば、光透過パネル２１の左右の縁から光が漏れることを抑えることができる。操作デバイス１の例では、遮光部３１ｂは第２案内部１２ｃの上端（光射出面１２ｄ）の高さまで伸びている。左右方向での遮光部３１ｂの幅は、遮光部２２ｂ、３１ａと同様に、第２案内部１２ｃの幅よりも大きい。操作デバイス１の例では、後側の遮光部３１ｂと前側の遮光部３１ａは、それらの右縁及び左縁で互いに繋がっている。
【００４１】
上述したように、光透過パネル２１は上面部２１ａから湾曲しながら前方且つ下方に伸び、前面部２１ｂに繋がっている。光透過パネル２１の表面（上面）は、第２発光領域Ｅ２において前方に向かって下方に傾斜している。そのため、図３の線Ｌ１で示されるように、導光部材１２の光射出面１２ｄから出た光は、光透過パネル２１の表面（上面）で屈折し、鉛直方向（上下方向）に対して後側に傾斜した方向に出る。したがって、第２発光領域Ｅ２から上方且つ後方に斜めに出る光の輝度は、第２発光領域Ｅ２から上方且つ前方に斜めに出る光の輝度よりも大きい。ユーザは操作デバイス１のグリップＧＲ、ＧＬを保持しているとき、斜め後側から操作デバイス１の上面を見る場合が多い。そのため、光射出面１２ｄの光が斜め後方に出る操作デバイス１によると、ユーザが第２発光領域Ｅ２の光を見やすくなる。その一方で、情報処理装置が第２発光領域Ｅ２の光をカメラを通して取得することを抑えることができる。
【００４２】
なお、第２発光領域Ｅ２の光を斜め後方に出すための構造は、操作デバイス１の例に限られない。例えば、第２発光領域Ｅ２を規定するボタンフレーム２２の開口２２ａ（図３参照）の位置が、光射出面１２ｄに対して前後方向にずれてもよい。例えば、ボタンフレーム２２の開口２２ａは導光部材１２の光射出面１２ｄに対して後方にずれてもよい。この場合でも、光射出面１２ｄの光は、鉛直方向（上下方向）に対して後側に傾斜した方向に出る。すなわち、第２発光領域Ｅ２から上方且つ後方に斜めに出る光の輝度が、第２発光領域Ｅ２から上方且つ前方に斜めに出る光の輝度よりも大きくなる。
【００４３】
図６は導光部材１２の基部１２ｂ及びＬＥＤ１４を示す図３の拡大図である。操作デバイス１の例では、ＬＥＤ１４は導光部材１２の基部１２ｂの後方に位置している。図６に示すように、基部１２ｂの端面（入射面）１２ｅの高さｈ１はＬＥＤ１４よりも高い。この構造によると、ＬＥＤ１４の光が導光部材１２に入り易くなるので、発光領域Ｅ１、Ｅ２を効率的に発光させることができる。また、基部１２ｂの上面は、端面１２ｅ側に、上方に膨らむように湾曲している湾曲面１２ｆを有している。これによって、基部１２ｂの上面への光の入射角が小さくなるので、光が基部１２ｂの上面から出ることを抑えることができる。その結果、発光領域Ｅ１、Ｅ２を効率的に発光させることができる。操作デバイス１の例では、基部１２ｂの下面も、端面１２ｅ側に、下方に膨らむように湾曲している湾曲面１２ｇを有している。
【００４４】
図７は導光部材１２の第１案内部１２ａを示す図３の拡大図である。これらの図に示すように、操作デバイス１の例では、第１案内部１２ａの後面は、光を前方に向ける構造として複数の凹部ｆを有している。複数の凹部ｆの内面は球の表面の一部を有する形状である。第１案内部１２ａ内で進む光は凹部ｆに当たり、その向きを前方に変える。また、第１案内部１２ａの先端（上端）に近い凹部ｆの深さは、基部１２ｂに近い凹部ｆの深さよりも深い。言い換えれば、凹部ｆの深さは、ＬＥＤ１４から遠ざかるに従って深くなっている。これによって、第１発光領域Ｅ１の全体を効率的に光らせることができる。
【００４５】
図５に示すように、導光部材１２は、第２案内部１２ｃの光射出面１２ｄ側に光拡散部１２ｉを有している（図５では、光拡散部１２ｉに網掛けが施されている）。導光部材１２の他の部分は、例えば透明な材料（例えばアクリル樹脂）で形成される。光拡散部１２ｉには、例えば、光を拡散させる拡散材料（例えば、微粒子）が混ぜられている。この構造によると、第２発光領域Ｅ２の輝度を位置によって変えることができる。操作デバイス１の例では、光拡散部１２ｉの高さｈ２は導光部材１２の右端及び左端に近づくに従って大きくなっている。したがって、第２発光領域Ｅ２の輝度を第２発光領域Ｅ２の右端及び左端に近づくに従って低くできる。光拡散部１２ｉの形状は、操作デバイス１の例に限られず、適宜変更されてよい。
【００４６】
導光部材１２は、例えば、２種類の材料を一体的に形成する二色成形法（ｄｏｕｂｌｅ  ｍｏｌｄｉｎｇ）で形成できる。光拡散部１２ｉは導光部材１２とは別個に形成されてもよい。例えば、光拡散部１２ｉは導光部材１２とは別個に形成され、ボタンフレーム２２に取り付けられてもよい。この場合、導光部材１２の光射出面１２ｄは、右端及び左端の位置が低くなるように円弧状に湾曲してもよい。
【００４７】
操作デバイス１に設けられているボタン等について説明する。図１に示すように、操作デバイス１はその右部の上面に、複数の操作ボタン４１を有している。操作デバイス１の例では、４つの操作ボタン４１が上面に設けられ、それらは十字の端部に位置している。操作デバイス１は、その左部の上面には十字形状を有する方向キー４２を有している。また、操作デバイス１は、中央部Ｍの後部に、左右の操作スティック４３を有している。操作スティック４３は、例えば、その半径方向に傾けたり、傾けた状態で回転させることができる。操作スティック４３は、その半径方向にスライド可能であってもよい。図２に示すように、操作デバイス１の右部及び左部の前面には操作ボタン４４，４５が設けられている。操作ボタン４４，４５は上下方向に並んでいる。
【００４８】
本発明は以上説明した実施形態に限られず、種々の変更が可能である。例えば、操作部材２０は必ずしも押しボタンとして機能しなくてもよい。すなわち、操作部材２０は必ずしも上下動可能に支持されていなくてもよい。他の例では、操作部材２０はタッチセンサ２３を有していなくてもよい。
【符号の説明】
【００４９】
１  操作デバイス、１１  第１光透過パネル、１２  導光部材、１２ａ  第１案内部、１２ｂ  基部、１２ｃ  第２案内部、１２ｄ  光射出面、１３  ハウジング、１５  回路基板、１６  回路基板、１９  反射部材、２０  操作部材、２１  第２光透過パネル、
２１ａ  上面部、２１ｂ  前面部、２１ｃ  下縁、２２  ボタンフレーム、２２ａ  開口、２２ｂ  遮光部、２３  タッチセンサ、３１  本体フレーム、３１ａ  遮光部、３１ｂ  遮光部、Ｅ１  第１発光領域、Ｅ２  第２発光領域。
【図１】
2018010375.tif 000003
【図２】
2018010375.tif 000004
【図３】
2018010375.tif 000005
【図４】
2018010375.tif 000006
【図５】
2018010375.tif 000007
【図６】
2018010375.tif 000008
【図７】
2018010375.tif 000009